(57)【特許請求の範囲】
【請求項１】
帽体の中心部よりも前方部分の内面に殻状のシールド支持板を配置し、該シールド支持板の後端部は帽体の天面部内面の一部に係合させて前後方向の移動を防止するとともに、帽体側頭部下端にロックピンで両側端を固定し、帽体の前頭部内面とシールド支持板の前面との間に保護シールドを挿入することができる空間を保持するとともに、シールド支持板に保護シールドの上下方向のガイド手段を設け、帽体内面とシールド支持板との間の空間に配置した保護シールドを、帽体前面において出没自在としたことを特徴とする作業用ヘルメット。
【請求項２】
帽体の側頭部下端に、上下方向に貫通する筒状の支持部を形成し、該筒状の支持部内に帽体とは別体に形成した庇の一部と、シールド支持板の一部を臨ませ、筒状の支持部に挿入するロックピンを、庇の一部とシールド支持板と筒状の支持部に係合させることによって、帽体とシールド支持板と庇を固定することを特徴とする請求項１記載の作業用ヘルメット。
【請求項３】
帽体の天面部内面に、シールド支持板の後端縁を堰き止める係止突部を形成するとともに前後方向のリブを形成し、シールド支持板に前記前後方向のリブが嵌合する溝を形成したことを特徴とする請求項１又は２記載の作業用ヘルメット。
【請求項４】
ハンモック支持部を、帽体内面の後方左右両側面部とシールド支持板の前方左右両側面部に形成し、交差方向の四箇所に配置したハンモックの係止具を前記ハンモック支持部に支持させたことを特徴とする請求項１ないし３のいずれかに記載の作業用ヘルメット。
【発明の詳細な説明】
【技術分野】
【０００１】
この発明は、安全のために作業者の顔面前方を覆う保護シールドを設ける作業用ヘルメットに関する発明である。
【背景技術】
【０００２】
作業用のヘルメットでは、作業の種類や作業環境などの条件によって、例えば  透明板やネットといった保護シールドをヘルメットの前頭部に装着し、作業者の顔面を覆って安全を図ることが行われている。
特許文献１や２には、帽体の内面に保護シールド（フェースガード）の支持板を固定し、この支持板に保護シールドのガイド手段を形成し、ガイド手段に沿って保護シールドをヘルメットの前面部において出没させる発明が記載されている。
特許文献３には、帽体の前面部内面に配置したシールドガイド部に貫通孔を穿設し、貫通孔にシールドを挿通させて上下方向に移動させる発明が、特許文献４には、帽体内に配置するハンモックにフェイスシールドを昇降させるホルダーを設ける発明が記載されている。
【先行技術文献】
【特許文献】
【０００３】
【特許文献１】特開２０１０−１３８５０６号公報
【特許文献２】特開２００９−１０８４２８号公報
【特許文献３】特開２００７−２９７７４３号公報
【特許文献４】特開２００９−２０３５６９号公報
【発明の概要】
【発明が解決しようとする課題】
【０００４】
特許文献１や２に記載された発明は、保護シールドを取り付けるための支持板を帽体に対して安定的に固定するため、支持板の一部を帽体の比較的後方位置にまで延長させ、帽体の後方側頭部と前方側頭部で固定させていた。そのため、帽体内部を広く活用することができない、換言すれば帽体が必要以上に大きくなるという欠点があった。特許文献３には、比較的細い幅のシールドガイド部材を帽体内の下端部前頭部に固定し、シールドガイド部材に穿設した挿通孔にシールドを挿通させる発明が記載されている。特許文献３に記載された発明では、シールドガイド部材そのものが安定しないという欠点がある。また、特許文献４に記載された、ハンモックにシールドのホルダーを取り付けるものでは、ハンモックそのものが安定せず装着したシールドが動く可能性があるという欠点があった。
【０００５】
上記、従来技術の欠点に鑑み、帽体内部を比較的広く活用することができるとともに、保護シールドを取り付けるためのシールド支持板の安定性に優れた作業用ヘルメットの構造を実現することを目的とするものである。本発明の他の目的は、帽体に装着する庇を含め、シールド支持板の帽体への組立を、簡単かつ強固に行なうことができる構造を実現することである。
【課題を解決するための手段】
【０００６】
上記目的を達成するために、請求項１記載の発明は、帽体１の中心部よりも前方部分の内面に殻状のシールド支持板２を配置する。このシールド支持板２の後端部は、帽体１の天面部内面の一部に係合させて前後方向の移動を防止するとともに、帽体１側頭部下端にロックピン３、３で両側端を固定する。
このとき、帽体１の前頭部内面とシールド支持板２の前面との間に保護シールド４を挿入することができる空間５を保持するとともに、シールド支持板２に保護シールド４の上下方向のガイド手段を設け、帽体内面とシールド支持板２との間の空間５に配置した保護シールド４を、帽体前面において出没自在とする。
【０００７】
請求項２記載の発明は、帽体１の側頭部下端に、上下方向に貫通する筒状の支持部６を形成し、この筒状の支持部６内に帽体１とは別体に形成した庇７の一部と、シールド支持板２の一部を臨ませ、筒状の支持部６に挿入するロックピン３を、庇７の一部とシールド支持板２と筒状の支持部６に係合させることによって、帽体１とシールド支持板２と庇７を固定することである。
【０００８】
請求項３記載の発明は、帽体１の天面部内面に、シールド支持板２の後端縁を堰き止める係止突部８を形成するとともに前後方向のリブ９を形成し、シールド支持板２に前記前後方向のリブ９が嵌合する溝10を形成したである。
【０００９】
請求項４記載の発明は、ハンモック支持部11を、帽体１内面の後方左右両側面部とシールド支持板２の前方左右両側面部に形成し、交差方向の四箇所に配置したハンモック12の係止具13を前記ハンモック支持部11に支持させることである。
【発明の効果】
【００１０】
請求項１記載の発明によれば、保護シールド４を装着するためのシールド支持板２が、帽体１の中心部よりも前方部分の内面にのみ、殻状として配置されるため、帽体１の内面を広く利用することができる。すなわち、帽体を必要以上に大きくする必要がない。そして、殻状のシールド支持板２は、その後端部における帽体の天面部内面との係合と、帽体側頭部下端におけるロックピン３による両側端の固定によって固定されるため、シールド支持板２が帽体の前方部分にのみ配置されるものでありながら、安定よく、強固に固定される効果がある。必然的に、保護シールド４もしっかりと装着することができる。
【００１１】
請求項２記載の発明によれば、帽体１の側頭部下端に形成した支持部６において、一つのロックピン３を帽体１の筒状の支持部に挿入することによって、ロックピン３を帽体の一部、すなわち筒状の支持部６と、帽体とは別体に形成した庇７の一部とシールド支持板２の一部を係合させて、これらを固定するため、全体として強固かつ簡単に組み立てることができる効果がある。
【００１２】
請求項３記載の発明によれば、シールド支持板２の後端部を帽体１の天面部内面に係合させるに際して、帽体１の天面部内面に、シールド支持板２の後端縁を堰き止める係止突部８を形成するとともに、前後方向のリブ９を、シールド支持板２にリブ９が嵌合する溝10を形成したことによって、帽体１のリブ９とシールド支持板２の溝10を嵌合させた状態で、係止突部８によって前後方向の移動を防止することができる。したがって、シールド支持板２の前後方向及び左右方向の移動を確実に防止することができるため、シールド支持板を強固に、しかもガタツクことなく安定的に固定することができる。
【００１３】
請求項４記載の発明によれば、ハンモック支持部11を、帽体内面の後方左右両側面部とシールド支持板の前方左右両側面部に形成し、交差方向の四箇所に配置したハンモックの係止具を前記ハンモック支持部に支持させる。このとき、シールド支持板２がしっかりと固定されているためハンモックを安定良く装着することができる。すなわち、帽体１内にシールド支持板２を配置するものでありながら、ハンモック12をしっかりと装着し、帽体１内をなるべく広く活用することができる効果がある。
【図面の簡単な説明】
【００１４】
【図１】図１は、帽体と、保護シールドを装着したシールド支持板の下方斜視図、
【図２】図２は、帽体にシールド支持板を装着した状態の底面図、
【図３】図３は、図２のIII−III線断面図、
【図４】図４は、帽体にシールド支持板を装着した状態の縦断面図、
【図５】図５は、シールド支持板の左側面図、
【図６】図６は、シールド支持板の底面図、
【図７】図７は、図６のVII−VII線断面図、
【図８】図８は、帽体とシールド支持板及び庇の固定部分のみの分解図、
【図９】図９は、図８を組み立てた状態の立面図、
【図１０】図１０は、図９のX−X線断面図、
【図１１】図１１は、ハンモックを装着したヘルメットの底面図、
【図１２】図１２は、ハンモックを装着したヘルメットの縦断面図である。
【発明を実施するための形態】
【００１５】
以下、本発明に係る作業用ヘルメットの実施形態を添付の図面に基づいて説明する。
図１は、帽体と、保護シールドを装着したシールド支持板の下方斜視図、図２は、帽体にシールド支持板を装着した状態の底面図、図３は、図２のIII−III線断面図、図４は、帽体にシールド支持板を装着した状態の縦断面図である。
【００１６】
本発明に係る作業用ヘルメットは、安全のために作業者の顔面前方を覆う保護シールド４を設ける。保護シールド４は、例えば合成樹脂製の透明なシールドレンズであって、作業の支障とならないものである。
図１、図４に示すように、ヘルメット本体である、帽体１の中心部よりも前方部分の内面に沿う形で殻状のシールド支持板２を配置し、帽体１の前頭部内面とシールド支持板２の前面との間に保護シールド４を挿入することができる空間５を保持する。そして、シールド支持板２に保護シールド４の上下方向のガイド手段、具体的には例えばガイド溝やガイド孔14を設け、帽体１内面とシールド支持板２との間の空間５に配置した保護シールド４を、ガイド孔14に沿って上下動させて帽体１前面において出没自在としている。
【００１７】
図示実施形態においては、シールド支持板２に三本の縦方向のガイド孔14を設けるとともに、透明な合成樹脂材で成型した保護シールド４の裏面上端部に、頭部付きの係止突起15を設け、該係止突起15を前記ガイド孔14に貫通させる。さらに、シールド支持板２の内面において、ダルマ孔形状である係止孔17を穿設した係止板16を配置し、前期係止突起15を係止孔17に挿入し、図１の図面上横方向に移動させて係止している。この構成によって、保護シールド４はガイド孔14に沿って自由に上下動させることができるとともに、係止板16の着脱によって保護シールド４自体を自由に交換することができるようにしている。
【００１８】
殻状のシールド支持板２の後端部は、帽体１の天面部内面の一部に係合させて前後方向の移動を防止するとともに、帽体１側頭部下端にロックピン３、３を用いてシールド支持板２の両側端を固定している。
帽体１の天面部内面には、図２に示すように幅方向の短い係止突部８と、前後方向のリブ９を形成している。幅方向の係止突部８は、一定間隔Ｘを隔てて帽体の後方側の係止突部８と前方側の係止突部8’を配置している。そして、シールド支持板２の後端部には、図２に示すように幅Ｘであって外表面方向に突出する突出部18を形成し、該突出部18を前記係止突部８と8’の間に嵌合させるとともに、図５に示すようにシールド支持板２にリブ９が嵌合する溝10を形成し、図３に示すようにリブ９を溝10に嵌合させている。この、左右及び前後方向の係合構造によって、シールド支持板２の幅方向及び前後方向の妄動を防止することができる。
【００１９】
シールド支持板２は、帽体側頭部下端においてロックピン３を用いて両側端を固定している。
帽体１側頭部下端におけるシールド支持板２の固定構造は、図８に示すように、帽体１の側頭部下端に形成した上下方向に貫通する筒状の支持部６と、筒状の支持部６内に挿入する庇７の一部である係止挿入部19と、シールド支持板２の一部であって支持部６内に挿入される係合凹部20及びロックピン３によって構成している。すなわち、図示実施形態では、帽体１と、帽体１とは別体に形成した庇７と、シールド支持板２の三部品を一つのロックピン３に係合させて固定する構造としている。
【００２０】
帽体１に形成した、筒状の支持部６は、帽体１の外側面に突出し、筒状の支持部６の側面の一部を前方に向けて開口させるとともに、内面に突出部6aを形成することによって、比較的広い断面の空間を備えた筒状に形成している。庇７は、前方の平面方向の庇主体部7aから左右両側方に延長させて、先端部に垂直方向の係止挿入部19を形成し、該係止挿入部19を帽体の外側面において、支持部６の側面から筒内に挿入し、支持部６内に形成したストッパー21に当接させることによって定位置に挿入されるようにしている。
【００２１】
一方、シールド支持板２の係合凹部20は、後端部の左右両側において、殻状の内面から外面方向に突出する態様とし、図７に示すように（図８において点線で示す）突部23を形成している。この突部23を支持部６の突出部6aの下方に形成した切欠部22から挿入し、筒状である支持部６の筒内に臨ませている。現実には、合成樹脂材で成型したシールド支持板２自体の弾性によって、突部23が切欠部22に嵌まり込むように作用する。
【００２２】
支持部６内に挿入される庇７の係止挿入部19の下端には、ストッパー21の形状に合わせた当接部24を形成するとともに、係止挿入部19の内面に縦方向の凹凸による噛合面25を形成している。一方、ロックピン３の外側面には庇７の係止挿入部19に形成した噛合面25に噛合する噛合面26を形成するとともに、ロックピン３の内側面には、支持部６の突出部6a下端に係合する係止爪27を形成している。ロックピン３の先端は、シールド支持板２の係合凹部に嵌合する幅に形成されている。
【００２３】
帽体１にシールド支持板２と庇７を組み立てるには、シールド支持板２の後端部を帽体１の天面部内面に形成した後方側の係止突部８と、前方側の係止突部8’の間にシールド支持板２の突出部18を嵌入させると同時に、帽体１のリブ９をシールド支持板２の溝10に嵌合させる。この状態で、シールド支持板２の両側に形成した突部23を帽体１の支持部６の切欠部22に嵌め込む。
【００２４】
一方、帽体１の支持部６の外側面部分に庇７の係止挿入部19を挿入するとともに、支持部６の開放端にロックピン３を挿入すると、図９に示すようにぴったりと組み立てられる。この状態では、図１０に示すように、帽体１の支持部６内において、庇７の係止挿入部19に形成した噛合面25とロックピン３の噛合面26が噛合し、庇７が脱落しないように係止される。さらに、ロックピン３の先端部がシールド支持板２の係合凹部20に嵌り込んでシールド支持板２の抜け出しを阻止し、シールド支持板２の両端部がしっかりと保持されると同時に、ロックピン３の係止爪27が支持部６の突出部6a端縁に係合し、ロックピン自体が妄りに抜け出さないように係止される。結果、帽体１と、シールド支持板２と、庇７の三者は全体として強固且つ簡単に組み立てることができる。
組立状態を分解するには、支持部６の切欠部22に露出しているロックピン３の係止爪27をドライバーなどで押し込みながら、下方（図８ないし図10における上方）に引き抜くと、簡単に分解することができる。
【００２５】
以上述べた殻状のシールド支持板２は、帽体１の前方部分にのみ配置されるために、帽体１の内面をなるべく広く利用することができるものであると同時に、非常に強固に固定されるものである。シールド支持板２にヘルメットの内装品を、安定よく支持させることができる。
すなわち、作業用ヘルメットにおいては、ヘルメットに加えられた衝撃から作業者を守るために、図11、図12に示すように帽体１の内部にハンモック12を装着している。
【００２６】
図11、図12に示す実施形態のハンモック12は、ハンモックの主体部分を略十字状に形成し、主体部分の延長方向の四箇所にそれぞれ係止具13、13を装着している。ハンモック12の四箇所の係止具13、13は、ハンモック支持部12を、帽体１内面の後方左右両側面部とシールド支持板２の前方左右両側面部に形成している。
本発明では、シールド支持板２を帽体１に強固に装着することができるものであるため、シールド支持板２にハンモックの係止具13を支持させることができる。そして、ハンモックの係止具13を帽体１とシールド支持板２に係止させることによって、帽体１内部をなるべく広く活用することができる。
図面において、28はあご紐、29は、帽体１内面及びシールド支持板２に形成したあご紐係止部である。
【符号の説明】
【００２７】
１…帽体、  ２…シールド支持板、  ３…ロックピン、  ４…保護シールド、  ５…空間、  ６…支持部、  6a…突出部、  ７…庇、  ８、8’…係止突部、  ９…リブ、  10…溝、  11…ハンモック支持部、  12…ハンモック、  13…係止具、  14…ガイド孔、  15…係止突起、  16…係止板、  17…係止孔、  18…突出部、  19…係止挿入部、  20…係合凹部、  21…ストッパー、  22…切欠部、  23…突部、  24…当接部、25、26…噛合面、  27…係止爪、  28…あご紐、  29…あご紐係止部。
【図１】
0005373727.tif 000002
【図２】
0005373727.tif 000003
【図３】
0005373727.tif 000004
【図４】
0005373727.tif 000005
【図５】
0005373727.tif 000006
【図６】
0005373727.tif 000007
【図７】
0005373727.tif 000008
【図８】
0005373727.tif 000009
【図９】
0005373727.tif 000010
【図１０】
0005373727.tif 000011
【図１１】
0005373727.tif 000012
【図１２】
0005373727.tif 000013